(57)【要約】【課題】パーティションを風に煽られることなく安全に取付けできるようにする。【解決手段】手摺り側支持部材１５と窓側支持部材１６との間に、上段パーティション２と下段パーティション３とが上下段で備えられている。上段パーティション２を両支持部材１５、１６に沿って下方側から上方側に向けてスライドさせたとき、手摺り側支持部材１５に、上段パーティション２の手摺り側縦枠材４が係合可能なスライドロック材２７を設けるとともに、窓側支持部材１６に、上段パーティション２の窓側縦枠材５が係合可能なピン部材３０を設ける。上段パーティション２を両支持部材１５、１６の間の下端部にセットし、手摺り側縦枠材４及び窓側縦枠材５をそれぞれスライドロック材２７及びピン部材３０に係合させながら、上段パーティション２を両支持部材１５、１６に沿って上方側に向けてスライドさせ、所定の位置で両支持部１５、１６に固定する。【選択図】図１
2019194400.tif 000002
【特許請求の範囲】
【請求項１】
ベランダのほぼ床面から天井面にかけて設けられ、下側が手摺りに固定されるとともに上端が天井面に固定された手摺り側支持部材と、窓側壁面に固定された窓側支持部材との間に、相対的に大きな寸法の上段パーティションと相対的に小さな寸法の下段パーティションとが上下段で備えられたベランダ用間仕切りの取付方法であって、
前記上段パーティションを前記手摺り側支持部材及び窓側支持部材に沿って下方側から上方側に向けてスライドさせたとき、前記手摺り側支持部材に、前記上段パーティションの手摺り側縦枠材が係合可能な第１係合部材を設けるとともに、前記窓側支持部材に、前記上段パーティションの窓側縦枠材が係合可能な第２係合部材を設けておき、
前記上段パーティションを前記手摺り側支持部材及び窓側支持部材の間の下端部にセットし、前記手摺り側縦枠材及び窓側縦枠材をそれぞれ前記第１係合部材及び第２係合部材に係合させながら、前記上段パーティションを前記手摺り側支持部材及び窓側支持部材に沿って上方側に向けてスライドさせ、所定の位置で前記手摺り側支持部材及び窓側支持部材に固定した後、前記上段パーティションの下側に前記下段パーティションを嵌め込み、前記手摺り側支持部材及び窓側支持部材に固定することを特徴とするベランダ用間仕切りの取付方法。
【請求項２】
前記第１係合部材は、前記上段パーティションのパネル面とほぼ直交する方向及び室内外方向への移動を制限するスライドロック材からなる請求項１記載のベランダ用間仕切りの取付方法。
【請求項３】
前記スライドロック材は、前記手摺り側支持部材のパーティション側端面に設けられた突部の両側に、前記パーティション側端面とほぼ平行して部材長手方向に沿って延びるロック用延出部を備え、
前記上段パーティションの手摺り側縦枠材の手摺り側端面に、部材長手方向に沿って手摺り側開口溝を設けておき、前記上段パーティションを前記手摺り側支持部材及び窓側支持部材に沿って下方側から上方側に向けてスライドさせたとき、前記手摺り側開口溝の内側に前記ロック用延出部が係合可能となっている請求項２記載のベランダ用間仕切りの取付方法。
【請求項４】
前記第２係合部材は、前記上段パーティションのパネル面とほぼ直交する方向への移動を制限する複数のピン部材からなる請求項１〜３いずれかに記載のベランダ用間仕切りの取付方法。
【請求項５】
前記ピン部材は、前記窓側支持部材を窓側壁面に固定するためのアンカーボルトの頭部に固着した軸部材によって構成され、
前記上段パーティションの窓側縦枠材の窓側端面に、部材長手方向に沿って窓側開口溝を設けておき、前記上段パーティションを前記手摺り側支持部材及び窓側支持部材に沿って下方側から上方側に向けてスライドさせたとき、前記窓側開口溝に前記軸部材が係合可能となっている請求項４記載のベランダ用間仕切りの取付方法。
【請求項６】
前記手摺り側支持部材の上端が、天井面から垂下する垂下片に対して、前記手摺り側支持部材のパーティション側端面から螺入される固定ボルトによって固定され、
前記固定ボルトの頭部と前記手摺り側支持部材のパーティション側端面との間に、前記手摺り側縦枠材が係合可能な間隙が形成されている請求項１〜５いずれかに記載のベランダ用間仕切りの取付方法。
【発明の詳細な説明】
【技術分野】
【０００１】
本発明は、集合住宅の同一階を複数戸に跨って連続的に設けられるベランダを各戸毎に仕切るため、ベランダのほぼ床面から天井面にかけて設けられる間仕切りの取付方法に関する。
【背景技術】
【０００２】
従来より、ベランダの間仕切り５０として、図２１に示されるように、両側部の縦材５１、５１と上下部の横材５２、５２とによって四周が枠組みされた枠組内部に、高さ方向の中間部に横桟５３が配置されるとともに、その上下枠内にパネル５４、５４が配置されることにより、正面視略「日」の字状に形成されたものが知られている。かかる間仕切り壁５０は、ベランダ床面より所定の隙間を空けた位置から、高さ約１８００mm程度で設けられるものが一般的である。ところが、１８００mm程度の高さでは、その上方のベランダ天井面までの間に広い空間Ｍが形成されるため、この空間Ｍを通じて、隣戸からの覗き見等のプライバシー上の問題や、侵入等の防犯上の問題などが懸念されていた。
【０００３】
そこで本出願人は、下記特許文献１において、ベランダのほぼ床面から天井面にかけて設けられるベランダ用間仕切り壁の取付構造であって、前記間仕切り壁は、両側部の縦材と上下部の横材とによって四周が枠組みされた枠組内部にパネルが配置された下側ユニットと、この上段に取り付けられるとともに、両側部の縦材と上下部の横材とによって四周が枠組みされた枠組内部にパネルが配置された上側ユニットとから構成され、前記下側ユニット及び上側ユニットのベランダ窓側において、窓側縦材はベランダの窓側壁面に対し縦方向配置で固設されたガイドレールによって支持され、前記下側ユニット及び上側ユニットのベランダ手摺り側において、手摺り側縦材は、前記下側ユニットの手摺り側縦材がブラケットによって手摺り支柱に固定されるとともに、室外側面に部材長手方向に沿って形成された連結用溝部が前記下側ユニット及び上側ユニット間に亘って連続しており、部材長手方向に沿って手摺り側縦材に向けて突出して形成される連結用突部を前記連結用溝部に挿入させて取り付けられる連結部材を少なくとも前記下側ユニット及び上側ユニットの接続部に跨るように配設し、前記連結部材の下端側を前記ブラケットに固定するとともに、その上端側をベランダ天井面に固定したことを特徴とするベランダ用間仕切り壁の取付構造を提案した。
【先行技術文献】
【特許文献】
【０００４】
【特許文献１】特開２０１１−１７４２７０号公報
【発明の概要】
【発明が解決しようとする課題】
【０００５】
上記特許文献１に係るベランダ用間仕切りでは、ベランダのほぼ床面から天井面にかけて設けられるため、プライバシー上の問題や、侵入等の防犯上の問題が解消されるようになったが、かかる間仕切り構造では、連結部材を少なくとも下段パーティション（前記下側ユニット）及び上段パーティション（前記上側ユニット）の接続部に跨るように配設する関係上、下段パーティションと上段パーティションとの境界が上側に位置するようになり、当該境界部に存在する横材が外観を損ねる等の問題が指摘されるようになった。
【０００６】
そこで、上段パーティションの寸法を大きくし下段パーティション及び上段パーティションの境界部を下側に位置させることによって上記問題は解消できるようになるが、今度は上段パーティションをベランダの上部側に取り付ける際に、大きな上段パーティションが風に煽られ非常に危険な作業となることが大きな問題となっていた。
【０００７】
そこで本発明の主たる課題は、相対的に大きな寸法の上段パーティションと相対的に小さな寸法の下段パーティションとを上下段で備えたベランダ用間仕切り構造において、これらの上段パーティションと下段パーティションとを風に煽られることなく安全に取付けできる取付方法を提供することにある。
【課題を解決するための手段】
【０００８】
上記課題を解決するために請求項１に係る本発明として、ベランダのほぼ床面から天井面にかけて設けられ、下側が手摺りに固定されるとともに上端が天井面に固定された手摺り側支持部材と、窓側壁面に固定された窓側支持部材との間に、相対的に大きな寸法の上段パーティションと相対的に小さな寸法の下段パーティションとが上下段で備えられたベランダ用間仕切りの取付方法であって、
前記上段パーティションを前記手摺り側支持部材及び窓側支持部材に沿って下方側から上方側に向けてスライドさせたとき、前記手摺り側支持部材に、前記上段パーティションの手摺り側縦枠材が係合可能な第１係合部材を設けるとともに、前記窓側支持部材に、前記上段パーティションの窓側縦枠材が係合可能な第２係合部材を設けておき、
前記上段パーティションを前記手摺り側支持部材及び窓側支持部材の間の下端部にセットし、前記手摺り側縦枠材及び窓側縦枠材をそれぞれ前記第１係合部材及び第２係合部材に係合させながら、前記上段パーティションを前記手摺り側支持部材及び窓側支持部材に沿って上方側に向けてスライドさせ、所定の位置で前記手摺り側支持部材及び窓側支持部材に固定した後、前記上段パーティションの下側に前記下段パーティションを嵌め込み、前記手摺り側支持部材及び窓側支持部材に固定することを特徴とするベランダ用間仕切りの取付方法が提供される。
【０００９】
上記請求項１記載の発明では、相対的に大きな寸法の上段パーティションと相対的に小さな寸法の下段パーティションとが上下段で備えられ、これらのパーティションが手摺り側支持部材と窓側支持部材との間に固定されたベランダ用間仕切り構造において、前記手摺り側支持部材に、前記上段パーティションの手摺り側縦枠材が係合可能な第１係合部材を設けるとともに、前記窓側支持部材に、前記上段パーティションの窓側縦枠材が係合可能な第２係合部材を設けておき、前記上段パーティションを手摺り側支持部材及び窓側支持部材の間の下端部にセットし、上段パーティションをこれらの手摺り側支持部材及び窓側支持部材に沿って上方側に向けてスライドさせる際、上段パーティションの手摺り側縦枠材及び窓側縦枠材をそれぞれ前記第１係合部材及び第２係合部材に係合させているため、上段パーティションが風に煽られることなく安全に取り付けできるようになる。また、下段パーティションについても、前記上段パーティションを手摺り側支持部材及び窓側支持部材に固定した後、この上段パーティションの下側に嵌め込んで手摺り側支持部材及び窓側支持部材に固定しているので、風に煽られることなく安全に取り付けできるようになる。
【００１０】
請求項２に係る本発明として、前記第１係合部材は、前記上段パーティションのパネル面とほぼ直交する方向及び室内外方向への移動を制限するスライドロック材からなる請求項１記載のベランダ用間仕切りの取付方法が提供される。
【００１１】
上記請求項２記載の発明では、前記手摺り側支持部材に設けられる第１係合部材としてスライドロック材を用いている。このスライドロック材は、前記上段パーティションの手摺り側縦枠材との係合により、前記上段パーティションのパネル面とほぼ直交する方向及び室内外方向への移動を制限する作用を有するため、上段パーティションが風に煽られることなく安全に取り付けできるようになる。
【００１２】
請求項３に係る本発明として、前記スライドロック材は、前記手摺り側支持部材のパーティション側端面に設けられた突部の両側に、前記パーティション側端面とほぼ平行して部材長手方向に沿って延びるロック用延出部を備え、
前記上段パーティションの手摺り側縦枠材の手摺り側端面に、部材長手方向に沿って手摺り側開口溝を設けておき、前記上段パーティションを前記手摺り側支持部材及び窓側支持部材に沿って下方側から上方側に向けてスライドさせたとき、前記手摺り側開口溝の内側に前記ロック用延出部が係合可能となっている請求項２記載のベランダ用間仕切りの取付方法が提供される。
【００１３】
上記請求項３記載の発明は、前記スライドロック材の具体的な構造に関するものである。前記スライドロック材は、手摺り側支持部材のパーティション側端面に設けられた突部の両側に、前記パーティション側端面とほぼ平行して部材長手方向に沿って延びるロック用延出部を備えている。一方、前記上段パーティションの手摺り側縦枠材の手摺り側端面には、部材長手方向に沿って手摺り側開口溝を設けておく。これによって、上段パーティションを手摺り側支持部材及び窓側支持部材に沿って下方側から上方側に向けてスライドさせたとき、前記手摺り側開口溝の内側に前記ロック用延出部が係合することによって、前記上段パーティションがパネル面とほぼ直交する方向及び室内外方向に移動するのが制限され、上段パーティションが風に煽られることなく安全に取り付けできるようになる。
【００１４】
請求項４に係る本発明として、前記第２係合部材は、前記上段パーティションのパネル面とほぼ直交する方向への移動を制限する複数のピン部材からなる請求項１〜３いずれかに記載のベランダ用間仕切りの取付方法が提供される。
【００１５】
上記請求項４記載の発明では、前記窓側支持部材に設けられた第２係合部材を複数のピン部材によって構成している。前記上段パーティションの取付けにおいて上段パーティションを上方側にスライドさせたとき、この複数のピン部材を窓側支持部材に係合させることにより、前記上段パーティションのパネル面とほぼ直交する方向への移動が制限されるため、上段パーティションが風に煽られることなくより安全に取り付けできるようになる。
【００１６】
請求項５に係る本発明として、前記ピン部材は、前記窓側支持部材を窓側壁面に固定するためのアンカーボルトの頭部に固着した軸部材によって構成され、
前記上段パーティションの窓側縦枠材の窓側端面に、部材長手方向に沿って窓側開口溝を設けておき、前記上段パーティションを前記手摺り側支持部材及び窓側支持部材に沿って下方側から上方側に向けてスライドさせたとき、前記窓側開口溝に前記軸部材が係合可能となっている請求項４記載のベランダ用間仕切りの取付方法が提供される。
【００１７】
上記請求項５記載の発明は、前記ピン部材の具体的な構造に関するものである。前記ピン部材は、窓側支持部材を窓側壁面に固定するためのアンカーボルトの頭部に固着した軸部材によって構成されている。一方、前記上段パーティションの窓側縦枠材には部材長手方向に沿って窓側開口溝を設けておく。これによって、上段パーティションの取付けにおいて上段パーティションを上方側にスライドさせたとき、前記窓側開口溝に前記軸部材が係合することによって、前記上段パーティションがパネル面とほぼ直交する方向に移動するのが制限されるため、上段パーティションが風に煽られることなくより安全に取り付けできるようになる。
【００１８】
請求項６に係る本発明として、前記手摺り側支持部材の上端が、天井面から垂下する垂下片に対して、前記手摺り側支持部材のパーティション側端面から螺入される固定ボルトによって固定され、
前記固定ボルトの頭部と前記手摺り側支持部材のパーティション側端面との間に、前記手摺り側縦枠材が係合可能な間隙が形成されている請求項１〜５いずれかに記載のベランダ用間仕切りの取付方法が提供される。
【００１９】
上記請求項６記載の発明は、前記手摺り側支持部材の上端を天井面に固定する構造に関するものであり、この際に用いる固定ボルトの頭部を上段パーティションの手摺り側縦枠材に係合させる係合部材として兼用できるようにしている。
【発明の効果】
【００２０】
以上詳説のとおり本発明によれば、上段パーティションと下段パーティションとを風に煽られることなく安全に取り付けできるようになる。
【図面の簡単な説明】
【００２１】
【図１】本発明に係るベランダ用間仕切り１の正面図である。
【図２】そのII−II線矢視図である。
【図３】図１のIII−III線矢視図である。
【図４】図１のIV−IV線矢視図である。
【図５】手摺り側支持部材１５の上端部の固定状態を示す、図１のＡ部拡大図である。
【図６】図５のVI−VI線矢視図である。
【図７】図５のVII−VII線矢視図である。
【図８】嵌合部材２３を示す、(A)は正面図、(B)は側面図である。
【図９】スライドロック材２７を示す、(A)は側面図、(B)は平面図である。
【図１０】ピン部材３０が備えられたアンカーボルト２４を示す、(A)は側面図、(B)は正面図である。
【図１１】ベランダ用間仕切り１の取付手順（その１）を示す正面図である。
【図１２】図１１のXII−XII線矢視図である。
【図１３】図１１のXIII−XIII線矢視図である。
【図１４】ベランダ用間仕切り１の取付手順（その２）を示す正面図である。
【図１５】ベランダ用間仕切り１の横断面図である。
【図１６】ベランダ用間仕切り１の取付手順（その３）を示す正面図である。
【図１７】図１６のXVII−XVII線矢視図である。
【図１８】手摺り側上端部の拡大図である。
【図１９】ベランダ用間仕切り１の横断面図である。
【図２０】ベランダ用間仕切り１の取付手順（その４）を示す正面図である。
【図２１】従来のベランダ用間仕切り５０の正面図である。
【発明を実施するための形態】
【００２２】
以下、本発明の実施の形態について図面を参照しながら詳述する。
【００２３】
本発明に係るベランダ用間仕切り１は、図１に示されるように、集合住宅の同一階を複数戸に跨がって連続的に設けられ、ベランダ床面ＢＦ、ベランダ天井面ＢＣ及び窓側壁面ＢＷによって３方向が建物躯体で囲まれ、室外側に手摺りＨが立設されたベランダを各戸毎に仕切るためのものである。本ベランダ用間仕切り１では特に、上下のベランダ天井面ＢＣ及びベランダ床面ＢＦとの間に人が通れる隙間の無い程度にベランダのほぼ床面から天井面にかけて設けられている。
【００２４】
前記ベランダ用間仕切り１には、相対的に大きな寸法の上段パーティション２と、相対的に小さな寸法の下段パーティション３とが上下段で備えられている。前記上段パーティション２は、両側の手摺り側縦枠材４及び窓側縦枠材５と、上下の横枠材６、７とによって四周が枠組みされた枠組内部にパネル８が配置された構造を成している。また、下段パーティション３も同様に、両側の手摺り側縦枠材９及び窓側縦枠材１０と、上下の横枠材１１、１２とで枠組みされた内部にパネル１３が配置されている。
【００２５】
前述の通り、前記上段パーティション２は、下段パーティション３に比べて相対的に大きな寸法で形成されている。つまり、上段パーティション２の方が下段パーティション３より高さ寸法が高く形成されている。これら上段パーティション２と下段パーティション３との境界部は任意であるが、手摺りＨの高さ以下とするのが好ましい。これにより、当該境界部に存在する上段パーティション２及び下段パーティション３の各横枠材７、１１が間仕切り１の外観を損ねる等の問題が生じなくなる。
【００２６】
前記上段パーティション２及び下段パーティション３の各枠材４〜７及び９〜１２はそれぞれ、押出し成形されたアルミ形材とされ、パネル側端面には、部材長手方向に沿って断面略コ字状に開口したパネル嵌合溝が形成されている（図２の６ａ、７ａ、１１ａ、１２ａ、図３及び図４の４ａ、５ａ参照）。また、その両端部にはそれぞれ、枠材連結用のビスポケットが設けられている。
【００２７】
前記上段パーティション２及び下段パーティション３はそれぞれ、上記の枠材４〜７及び９〜１２によって四周が枠組みされることにより、前記パネル嵌合溝が周方向に沿って連続して形成されるとともに、このパネル嵌合溝に樹脂製のグレチャン１４を介して四角形のパネル８、１３が支持されている。前記上段パーティション２及び下段パーティション３はそれぞれ、基本的に工場製作され、現場に搬入される。
【００２８】
前記上段パーティション２及び下段パーティション３の手摺り側縦枠材４、９にはそれぞれ、前記パネル側端面と反対側の手摺り側端面（後述する手摺り側支持部材１５と対向する面）に、部材長手方向の全長に亘って手摺り側開口溝が形成されている（上段パーティション２の手摺り側開口溝は、図３、図４及び図６の４ｂ参照。下段パーティション３の手摺り側開口溝は特に図示せず。）。同様に、上段パーティション２及び下段パーティション３の窓側縦枠材５、１０にもそれぞれ、前記パネル側端面と反対側の窓側端面（窓側壁面ＢＷと対向する面）に、部材長手方向の全長に亘って窓側開口溝が形成されている（上段パーティション２の窓側開口溝は、図３及び図４の５ｂ参照。下段パーティション３の窓側開口溝は特に図示せず。）。
【００２９】
前記上段パーティション２と下段パーティション３とは、図２に示されるように、上段パーティション２の下側の横枠材７と下段パーティション３の上側の横枠材１１とが係合可能に構成されているのが好ましい。図示例では、上段パーティション２の横枠材７の下面に部材長手方向に沿って開口溝７ｂが形成されるとともに、下段パーティション３の横枠材１１の上面に、前記開口溝７ｂに係合可能な突部１１ｂ、１１ｂが部材長手方向に沿って形成されている。これにより、上段パーティション２の下側に下段パーティション３を配置した状態で、これら上段パーティション２と下段パーティション３とが係合しているため、間仕切り１の構造強度が増すとともに、上段パーティション２と下段パーティション３との間に隙間が生じなくなる。
【００３０】
前記上段パーティション２及び下段パーティション３は、図１、図３及び図４に示されるように、下側が手摺りＨに固定されるとともに上端がベランダ天井面ＢＣに固定された手摺り側支持部材１５と、窓側壁面ＢＷに固定された窓側支持部材１６との間に、上下段で備えられている。
【００３１】
前記手摺り側支持部材１５及び窓側支持部材１６はそれぞれ、押出し成形されたアルミ形材からなり、ベランダのほぼ床面から天井面にかけて連続して設けられている。
【００３２】
前記手摺り側支持部材１５は、概ね断面略四角形からなる中空角形の部材であり、そのパーティション側端面には、部材長手方向の全長に亘って、長手方向中心線の両側に離隔して配置され、パーティション側に向けて突出するとともに、前記上段パーティション２及び下段パーティション３の手摺り側縦枠材４、９に形成された手摺り側開口溝４ｂと係合する第１突部１５ａ、１５ａが形成されるとともに、更にその両側に離隔して前記第１突部１５ａより低い高さでパーティション側に向けて突出し、先端が前記上段パーティション２及び下段パーティション３の手摺り側縦枠材４、９の手摺り側端面と当接することにより手摺り側縦枠材４との離隔距離を一定に保持するための第２突部１５ｂ、１５ｂが形成されている。
【００３３】
前記手摺り側支持部材１５の下側は、図１及び図３に示されるように、所定のブラケット１７によって手摺りＨの手摺り支柱ＨＰに固定されている。前記ブラケット１７は、手摺り支柱ＨＰの少なくとも上部及び下部の複数箇所に設けるのが好ましく、図示例では、手摺り支柱ＨＰの上部及び下部の２箇所に設けられ、上部に設けられたブラケット１７が上段パーティション２と下段パーティション３とに跨がる位置に配置され、上段パーティション２及び下段パーティション３を両方とも手摺り支柱ＨＰに固定している。このため、上部に配置されたブラケット１７は、下部に配置されたブラケット１７より高さ寸法が大きく形成されている。なお、図１に示される例では、前記ブラケット１７は、手摺り上部及び下部の２箇所に設けられているが、取付強度を増すとともに、ベランダ用間仕切り１と手摺りＨとの隙間をなくすため、手摺り支柱ＨＰの上部から下部に亘って連続して形成してもよい。
【００３４】
前記ブラケット１７は、図３に示されるように、手摺り支柱ＨＰに固定される固定側ブラケット１８と、この固定側ブラケット１８に係合して取り付けられる係合側ブラケット１９とから構成され、前記固定側ブラケット１８と係合側ブラケット１９との間に前記手摺り側支持部材１５が支持されるとともに、上段パーティション２及び下段パーティション３の手摺り側縦枠材４、９が固定されている。
【００３５】
前記固定側ブラケット１８は、手摺り支柱ＨＰを嵌入する呑込み溝１８ａが形成されるとともに、この呑込み溝１８ａの一方がわ側面から溝対向面側に延在して一方側固定片１８ｂが備えられている。また、前記呑込み溝１８ａ底面の溝対向面側には、前記一方側固定片１８ｂの基端部から第１係合片１８ｃが突設されるとともに、前記呑込み溝１８ａの他方がわ側面から溝対向面側に延在し、その先端部が内側に屈折した第２係合片１８ｄが設けられている。また、前記固定側ブラケット１８の呑込み溝１８ａの両側面には、取付ビス１７ｂによって手摺り支柱ＨＰに固定するためのビス孔１８ｆが形成されている。さらに、前記一方側固定片１８ｂには、上段パーティション２又は下段パーティション３の手摺り側縦枠材４、９を固定するためのボルト・ナット１７ａが挿通される通孔１８ｅが１又は複数形成されるとともに、手摺り側支持部材１５を固定するための取付ビス１７ｃが挿通されるビス孔１８ｇが形成されている。
【００３６】
一方、前記係合側ブラケット１９は、前記固定側ブラケット１８の第１係合片１８ｃ及び第２係合片１８ｄにそれぞれ係合する第１係合片１９ｂ及び第２係合片１９ｃが備えられた係合部１９ａと、この係合部１９ａの先端部から連続して前記固定側ブラケット１８の呑込み溝１８ａの他方がわ側面の溝対向面側に延在して設けられる他方側固定片１９ｄとによって略Ｌ字形に形成されている。また、前記係合側ブラケット１９には、上段パーティション２又は下段パーティション３の手摺り側縦枠材４、９を固定するためのボルト・ナット１７ａが挿通される通孔１９ｅが１又は複数形成されるとともに、手摺り側支持部材１５を固定するための取付ビス１７ｃが挿通されるビス孔１９ｆが形成されている。
【００３７】
前記ブラケット１７は、手摺り支柱ＨＰに前記固定側ブラケット１８の呑込み溝１８ａを嵌合するとともに取付ビス１７ｂ、１７ｂによって手摺り支柱ＨＰに固定した後、前記手摺り側支持部材１５を固定するとともに上段パーティション２、下段パーティション３を所定の位置に配置した状態で、前記固定側ブラケット１８の第１係合片１８ｃ及び第２係合片１８ｄと、係合側ブラケット１９の第１係合片１９ｂ及び第２係合片１９ｃとをそれぞれ係合させた状態で、固定側ブラケット１８の上方側又は下方側から係合側ブラケット１９をスライドさせるようにして組み立て、前記ボルト・ナット１７ａによって上段パーティション２、下段パーティション３を固定するとともに、取付ビス１７ｃによって手摺り側支持部材１５を固定する。
【００３８】
前記固定側ブラケット１８の一方側固定片１８ｂと、係合側ブラケット１９の他方側固定片１９ｄとで挟まれた空間内には、前記手摺り側支持部材１５及び上段パーティション２の手摺り側縦枠材４、下段パーティション３の手摺り側縦枠材９を嵌入させた状態で、一方側固定片１８ｂ及び他方側固定片１９ｄの外面側からそれぞれ取付ビス１７ｃを螺入することによって手摺り側支持部材１５が手摺りＨに固定されるとともに、前記一方側固定片１８ｂ、他方側固定片１９ｄ及び手摺り側縦枠材４、９を一体的に結合する前記ボルト・ナット１７ａによって上段パーティション２及び下段パーティション３が手摺りＨに固定されている。
【００３９】
前記手摺り側支持部材１５の上端は、詳細には図５〜図７に示されるように、ベランダの天井面ＢＣに固定されている。手摺り側支持部材１５の上端を天井面ＢＣに固定するには、Ｌ字形の固定金具２０を用いるのが好ましい。具体的には、前記固定金具２０の一方側部分をアンカーボルト２１によって天井面ＢＣに固定するとともに、他方側部分を天井面ＢＣから垂下させ、この垂下片２０ａに対して手摺り側支持部材１５の上端を固定ボルト２２によって固定する。
【００４０】
前記垂下片２０ａには、図８に示されるように、底部とその両側で一方側に屈折する側部とからなる断面略コ字形の嵌合部材２３が固定され、前記底部の中央部に前記固定ボルト２２が挿通される通孔２３ａが形成されるとともに、この通孔２３ａにネジ孔が連通するようにナット２３ｂが溶接されている。また、前記垂下片２０ａにも前記固定ボルト２２が挿通可能な通孔２０ｂが形成されている。
【００４１】
前記嵌合部材２３が固定された垂下片２０ａは、図６に示されるように、手摺り側支持部材１５の上端から、該手摺り側支持部材１５の中空内部に嵌合可能な大きさで形成されている。前記嵌合部材２３を設けることによって、前記手摺り側支持部材１５を取り付ける際、手摺り側支持部材１５が大きく位置ズレしにくくなるため、固定作業が容易になる。
【００４２】
前記固定ボルト２２は、手摺り側支持部材１５のパーティション側端面から、前記ナット２３ｂに螺入されるようになっている。つまり、前記固定ボルト２２によって手摺り側支持部材１５の上端部を固定した状態では、固定ボルト２２の頭部が手摺り側支持部材１５のパーティション側端面から突出して設けられるようになっている。この際、後段で詳述するように、前記固定ボルト２２のねじ部を手摺り側支持部材１５の第１突部１５ａ、１５ａ間に挿入し、前記固定ボルト２２の頭部が前記第１突部１５ａ、１５ａの先端に係止されるようにするのが好ましい。
【００４３】
一方、前記上段パーティション２及び下段パーティション３を窓側壁面ＢＷに固定する窓側支持部材１６は、図３に示されるように、断面略Ｌ字形に形成され、Ｌ字形の一方側部分が部材長手方向に間隔を空けて複数設けられたアンカーボルト２４によって上下方向に沿って窓側壁面ＢＷに固定され、他方側部分が上下方向に沿って窓側壁面ＢＷからほぼ垂直に突出するように配置されている。この他方側部分には、上段パーティション２及び下段パーティション３を固定するための固定ボルト２５が挿通される通孔１６ａが部材長手方向に間隔を空けて複数形成されている。
【００４４】
図１及び図４に示されるように、前記手摺り側支持部材１５には、前記上段パーティション２を手摺り側支持部材１５及び窓側支持部材１６に沿って下方側から上方側に向けてスライドさせたとき、前記上段パーティション２の手摺り側縦枠材４が係合可能な第１係合部材が設けられている。この第１係合部材としては、係合する上段パーティション２が、該上段パーティション２のパネル８とほぼ直交する方向及び室内外方向に移動するのを制限するように形成されたスライドロック材２７によって構成するのが好ましい。
【００４５】
前記スライドロック材２７は、図９に示されるように、手摺り側支持部材１５の部材長手方向に長い平板部２７ａと、その一方側面に、部材長手方向の全長に亘って部材長手方向中心線の両側に所定の離隔距離を空けて形成された平行する２本の脚部２７ｂ、２７ｂとから構成され、前記平板部２７ａの前記脚部２７ｂ、２７ｂ間に部材長手方向に間隔を空けて複数のビス止め用通孔２７ｃ、２７ｃ…が形成されている。このスライドロック材２７を手摺り側支持部材１５に配置した状態では、図４に示されるように、前記２本の脚部２７ｂ、２７ｂが手摺り側支持部材１５のパーティション側端面に形成された２本の第１突部１５ａ、１５ａ間に嵌合して設けられるとともに、前記平板部２７ａがパーティション側端面から前記第１突部１５ａの突出高さ分だけ離隔して、パーティション側端面とほぼ平行して配置されるようになっている。前記平板部２７ａの前記第１突部１５ａ、１５ａより外側に延出する部分はそれぞれ、前記パーティション側端面とほぼ平行して部材長手方向に沿って延びるロック用延出部２８、２８を構成している。前記スライドロック材２７は、前記通孔２７ｃに挿通される固定ビス２９によって、手摺り側支持部材１５のパーティション側端面に固定されている。
【００４６】
前記上段パーティション２の取付けにおいて、前記上段パーティション２を手摺り側支持部材１５及び窓側支持部材１６に沿って下方側から上方側に向けてスライドさせたとき、図４に示されるように、前記上段パーティション２の手摺り側縦枠材４の手摺り側端面に形成された手摺り側開口溝４ｂの内側に、前記ロック用延出部２８が係合可能となっている。すなわち、上段パーティション２を上方側に向けてスライドさせたとき、手摺り側縦枠材４の上端から、スライドロック材２７のロック用延出部２８が、手摺り側縦枠材４の内側に挿入されるとともに、手摺り側開口溝４ｂに手摺り側支持部材１５の第１突部１５ａ、１５ａが係合することにより、前記手摺り側開口溝４ｂの両側に配置された手摺り側縦枠材４の部分がロック用延出部２８及び第１突部１５ａ、１５ａにそれぞれ係止するため、上段パーティション２が、該上段パーティション２のパネル８とほぼ直交する方向及び室内外方向にそれぞれ移動するのが制限されるようになる。
【００４７】
なお、図４及び図６に示されるように、前記手摺り側開口溝４ｂの両側に配置された手摺り側縦枠材４部分の開口溝側の端縁は、内側に屈折したＬ字形に形成され、この屈折した部分の先端がスライドロック材２７のロック用延出部２８に当接するとともに、屈折した部分の開口溝に臨む面が手摺り側支持部材１５の第１突部１５ａの側面に係合している。また、このＬ字形に屈折した部分の先端をスライドロック材２７のロック用延出部２８に当接させた状態で、前記手摺り側縦枠材４の手摺り側端面と、前記手摺り側支持部材１５の第２突部１５ｂの先端との間には、極僅かな隙間Ｓが形成され、上段パーティション２の手摺り側縦枠材４をスライドロック材２７に係合させながら上段パーティション２を上方側にスムーズにスライドできるようになっている。この隙間Ｓとしては任意であるが、０．１〜２ｍｍ程度とするのが好ましい。
【００４８】
一方、前記窓側支持部材１６には、前記上段パーティション２の窓側縦枠材５が係合可能な第２係合部材が設けられている。この第２係合部材としては、図４に示されるように、係合する上段パーティション２が、該上段パーティション２のパネル８とほぼ直交する方向に移動するのを制限するように形成されたピン部材３０によって構成するのが好ましい。
【００４９】
前記ピン部材３０は、図１０に示されるように、窓側支持部材１６を窓側壁面ＢＷに固定するためのアンカーボルト２４の頭部に溶接などの接合手段によって固着した軸部材とするのが好ましい。前記ピン部材３０は、ステンレス製の断面円形からなる軸部材であり、その先端に拡径した頭部が設けられるようにするのが好ましい。
【００５０】
前記上段パーティション２の取付けにおいて、前記上段パーティション２を手摺り側支持部材１５及び窓側支持部材１６に沿って下方側から上方側に向けてスライドさせたとき、図４に示されるように、上段パーティション２の窓側縦枠材５の窓側端面に形成された窓側開口溝５ｂに、前記ピン部材３０が挿入可能となっている。前記ピン部材３０は、窓側開口溝５ｂに遊嵌されているため、上段パーティション２がスムーズにスライドできる一方で、前記ピン部材３０が窓側開口溝５ｂに係合することによって、上段パーティション２が風に煽られたときでも、該上段パーティション２のパネル８と直交する方向に移動するのを制限している。
【００５１】
前記スライドロック材２７及びピン部材３０は、上段パーティション２の配置区間のうち、中間部のみに設けるのが好ましい。より詳細には、前記手摺り側支持部材１５及び窓側支持部材１６をそれぞれ所定の位置に固定し、これら手摺り側支持部材１５及び窓側支持部材１６の間の下端部に上段パーティション２をセットした状態（図１３に示される状態）で、この上段パーティション２より上方側であって、上端が前記手摺り側支持部材１５及び窓側支持部材１６の上端まで達しない区間に配置されている。
【００５２】
ところで、前述の通り、手摺り側支持部材１５の上端は、図５及び図６に示されるように、天井面ＢＣから垂下する垂下片２０ａに対して、手摺り側支持部材１５のパーティション側端面から螺入される固定ボルト２２によって固定されるが、この固定ボルト２２の頭部を利用して、前記スライドロック材２７と同様の考え方で構成される係合部を形成するのが好ましい。具体的には、図６に示されるように、固定ボルト２２のねじ部が手摺り側支持部材１５の第１突部１５ａ、１５ａ間に形成された通孔に挿入されるとともに、頭部が第１突部１５ａ、１５ａの先端に係止されるようにし、前記上段パーティション２を手摺り側支持部材１５及び窓側支持部材１６に沿って下方側から上方側に向けてスライドさせたとき、前記手摺り側開口溝４ｂの内側に固定ボルト２２の頭部が係合可能となるように形成することにより、前記第１突部１５ａ、１５ａの両側に突出する固定ボルト２２の頭部部分をロック用延出部として利用するのが好ましい。これにより、上段パーティション２を取り付ける際、上段パーティション２の上端部においても支持されるため、上段パーティション２が風に煽られるのがより確実に防止できる。なお、図示例では、固定ボルト２２に座金２２ａが備えられ、実際には、この座金２２ａが第１突部１５ａの先端に係止されている。この座金２２ａは、固定ボルト２２のサイズに合った一般的な座金を用いてもよいし、前記スライドロック材２７のロック用延出部２８と同じように、第１突部１５ａ、１５ａの両側に大きく延出するように形成された特殊な座金を用いてもよい。
【００５３】
次に、前記ベランダ用間仕切り１の取付方法について説明する。先ずはじめに、図１１〜図１３に示されるように、前記手摺り側支持部材１５の所定位置にスライドロック材２７を取り付けるとともに、天井面ＢＣに固定金具２０を取付ける。その後、前記手摺り側支持部材１５の下側を手摺りＨに固定するとともに上端を前記固定金具２０によって天井面ＢＣに固定し、且つ窓側支持部材１６を窓側壁面ＢＷに固定する。
【００５４】
前記手摺り側支持部材１５の下側を手摺りＨに固定するブラケット１７のうち、前記固定側ブラケット１８のみを手摺り支柱ＨＰに固定しておき、前記係合側ブラケット１９は上段パーティション２及び下段パーティション３の設置が終わった後に取り付けるようにするのが好ましい。
【００５５】
前記手摺り側支持部材１５の上端を天井面ＢＣに固定するには、天井面ＢＣから垂下する垂下片２０ａを手摺り側支持部材１５の内部に挿入するとともに、パーティション側端面から固定ボルト２２を螺入することにより行う。
【００５６】
前記窓側支持部材１６を窓側壁面ＢＷに固定するには、アンカーボルト２４を窓側壁面ＢＷに螺入することにより行う。前記上段パーティション２の配置区間に配置される所定のアンカーボルト２４の頭部には前記ピン部材３０が備えられている。
【００５７】
前記手摺り側支持部材１５及び窓側支持部材１６を設置し終えたならば、図１４に示されるように、上段パーティション２を前記手摺り側支持部材１５及び窓側支持部材１６の間の下端部にセットする。上段パーティション２をこれら支持部材１５、１６間にセットするには、図１５に示されるように、前記固定側ブラケット１８の一方側固定片１８ｂ及び窓側支持部材１６の窓側壁面ＢＷから突出した部分に当接させた状態で、手摺り側縦枠材４の手摺り側開口溝４ｂに、手摺り側支持部材１５の第１突部１５ａ、１５ａが係合するように、室内外方向の手摺りＨ側に若干スライドさせる。
【００５８】
その後、図１６に示されるように、上段パーティション２を手摺り側支持部材１５及び窓側支持部材１６に沿って上方側に向けてスライドさせる。このとき、図１７に示されるように、上段パーティション２の手摺り側縦枠材４の手摺り側開口溝４ｂ及び窓側縦枠材５の窓側開口溝５ｂをそれぞれ前記スライドロック材２７及びピン部材３０に係合させながらスライドさせる。また、手摺り側支持部材１５の上端部においても、図１８に示されるように、手摺り側縦枠材４の手摺り側開口溝４ｂを固定ボルト２２の頭部に係合させる。これによって、上段パーティション２が風に煽られることなく安全に取り付けできるようになる。
【００５９】
前記上段パーティション２を手摺り側支持部材１５及び窓側支持部材１６の上端部までスライドさせたなら、上段パーティション２を手摺り側支持部材１５及び窓側支持部材１６に固定する（図１６）。窓側支持部材１６への固定は、図１９に示されるように、上段パーティション２の窓側縦枠材５の外側にカバー材３１を配置して、前記窓側支持部材１６、窓側縦枠材５及びカバー材３１を一体的に貫通する固定ボルト２５を取り付けることにより行う。また、手摺り側支持部材１５への固定は、図１９に示されるように、手摺り側縦枠材４の下端部に設けられるブラケット１７の係合側ブラケット１９を取付け、ブラケット１７及び手摺り側縦枠材４を貫通するボルト・ナット１７ａを取り付けることにより行う。なお、前記上段パーティション２の固定の際、上段パーティション２がずり落ちないように、施工治具などによって上段パーティション２の自重を保持しながら作業を行うのが好ましい。
【００６０】
前記カバー材３１は、前記上段パーティション２の配置区間における前記窓側支持部材１６の窓側壁面ＢＷから突出する部分とほぼ同じ形状に形成された板材である。このカバー材３１は、上段パーティション２の配置区間と、下段パーティション３の配置区間とにそれぞれ設けられている。
【００６１】
しかる後、図２０に示されるように、前記上段パーティション２の下側に下段パーティション３を嵌め込み、同様にして手摺り側支持部材１５及び窓側支持部材１６に固定する。
【００６２】
〔他の形態例〕
(1)上記形態例では、第１係合部材としてスライドロック材２７を用い、第２係合部材としてピン部材３０を用いていたが、第１係合部材としてピン部材３０を用い、第２係合部材としてスライドロック材２７を用いてもよい。
【符号の説明】
【００６３】
１…ベランダ用間仕切り、２…上段パーティション、３…下段パーティション、４…手摺り側縦枠材、５…窓側縦枠材、６・７…横枠材、８…パネル、９…手摺り側縦枠材、１０…窓側縦枠材、１１・１２…横枠材、１３…パネル、１５…手摺り側支持部材、１６…窓側支持部材、１７…ブラケット、１８…固定側ブラケット、１９…係合側ブラケット、２０…固定金具、２３…嵌合部材、２７…スライドロック材、２８…ロック用延出部、３０…ピン部材、３１…カバー材
【図１】
2019194400.tif 000003
【図２】
2019194400.tif 000004
【図３】
2019194400.tif 000005
【図４】
2019194400.tif 000006
【図５】
2019194400.tif 000007
【図６】
2019194400.tif 000008
【図７】
2019194400.tif 000009
【図８】
2019194400.tif 000010
【図９】
2019194400.tif 000011
【図１０】
2019194400.tif 000012
【図１１】
2019194400.tif 000013
【図１２】
2019194400.tif 000014
【図１３】
2019194400.tif 000015
【図１４】
2019194400.tif 000016
【図１５】
2019194400.tif 000017
【図１６】
2019194400.tif 000018
【図１７】
2019194400.tif 000019
【図１８】
2019194400.tif 000020
【図１９】
2019194400.tif 000021
【図２０】
2019194400.tif 000022
【図２１】
2019194400.tif 000023